(57)【要約】【課題】機能部を制御する制御手段と機能部との間で無線接続を確立する場合に、機能部を除く他の機能部による制御手段への誤接続を無くす。【解決手段】画像処理装置１００Ａは、自装置の内部に設けられた１又は複数の機能部１３０Ａに対して無線接続可能に構成され、１又は複数の機能部１３０Ａの機能を実現させるための制御を行う制御部１１０Ａと、１又は複数の機能部１３０Ａの電源を制御する電源制御部と、１又は複数の機能部１３０Ａのうち制御部１１０Ａとの間で無線接続が確立されている全ての機能部１３０Ａの電源をオフした後、１又は複数の機能部１３０Ａを除く他の機能部と制御部１１０Ａとの間の無線接続を切断するモード切替部とを備える。【選択図】図７
2019024171.tif 000002
【特許請求の範囲】
【請求項１】
自装置の内部に設けられた１又は複数の機能部に対して無線接続可能に構成され、当該１又は複数の機能部の機能を実現させるための制御を行う制御手段と、
前記１又は複数の機能部の電源を制御する電源制御手段と、
前記１又は複数の機能部のうち前記制御手段との間で無線接続が確立されている全ての機能部の電源を前記電源制御手段によりオフした後、当該１又は複数の機能部を除く他の機能部と当該制御手段との間の無線接続を切断する接続切断手段と
を備える情報処理装置。
【請求項２】
前記接続切断手段は、無線接続を確立する際の認証に必要とされる認証情報を変更して、前記他の機能部と前記制御手段との間の無線接続を切断すること
を特徴とする請求項１に記載の情報処理装置。
【請求項３】
前記制御手段と前記１又は複数の機能部との間で無線接続を確立する接続確立手段をさらに備え、
前記電源制御手段は、前記接続切断手段が無線接続を切断した後、前記１又は複数の機能部の電源をオンの状態にして、
前記接続確立手段は、前記電源制御手段により前記１又は複数の機能部の電源がオンの状態になった後、前記接続切断手段による変更後の認証情報を用いて、前記制御手段と当該１又は複数の機能部との間で無線接続を確立すること
を特徴とする請求項２に記載の情報処理装置。
【請求項４】
前記接続切断手段に変更される前の認証情報は、前記他の機能部と共通の情報であり、当該接続切断手段に変更された後の認証情報は、自装置を一意に識別するための情報であること
を特徴とする請求項２に記載の情報処理装置。
【請求項５】
前記電源制御手段は、自装置の電源が初めてオンされた場合に、前記１又は複数の機能部と前記制御手段との間で無線接続が確立された後、当該１又は複数の機能部の全ての電源をオフすること
を特徴とする請求項１に記載の情報処理装置。
【請求項６】
前記１又は複数の機能部と前記他の機能部には、無線接続を確立する際の認証に必要とされる認証情報の初期設定がなされていること
を特徴とする請求項５に記載の情報処理装置。
【請求項７】
予め定められた無線機の動作を制御するとともに、当該予め定められた無線機の電源のオンオフを制御する動作制御手段と、
無線接続を確立する際の認証に必要とされる認証情報を用いて、前記予め定められた無線機により前記動作制御手段に対して通信を行うための無線接続を確立する接続確立手段と、
前記動作制御手段により前記予め定められた無線機の電源がオフされた場合に、前記認証情報を変更する変更手段と
を備える情報処理装置。
【請求項８】
前記動作制御手段は、前記変更手段により前記認証情報が変更された後に前記予め定められた無線機の電源をオンし、
前記接続確立手段は、前記動作制御手段により前記予め定められた無線機の電源をオンした後、前記変更手段による変更後の認証情報を用いて、当該予め定められた無線機により当該動作制御手段に対して通信を行うための無線接続を確立すること
を特徴とする請求項７に記載の情報処理装置。
【請求項９】
自装置の内部に設けられた機能部に対して無線接続可能に構成され、当該機能部の機能を実現させるための制御を行う制御手段と、
前記機能部を除く他の機能部が前記制御手段に無線接続されている場合に、当該他の機能部と当該制御手段との間の無線接続を断つ手段と
を備える情報処理装置。
【請求項１０】
前記断つ手段は、前記制御手段に無線接続されている前記機能部の全ての電源をオフした後、前記他の機能部が当該制御手段に無線接続されていることを認識し、認識した当該無線接続を断つこと
を特徴とする請求項９に記載の情報処理装置。
【請求項１１】
コンピュータに、
自装置の内部に設けられた１又は複数の機能部のうち、当該１又は複数の機能部に対して無線接続可能に構成され当該１又は複数の機能部の機能を実現させるための制御を行う制御手段との間で無線接続が確立されている全ての機能部の電源をオフする機能と、
前記制御手段との間で無線接続が確立された全ての機能部の電源がオフされた後、前記１又は複数の機能部を除く他の機能部と当該制御手段との間の無線接続を切断する機能と
を実現させるためのプログラム。
【発明の詳細な説明】
【技術分野】
【０００１】
本発明は、情報処理装置及びプログラムに関する。
【背景技術】
【０００２】
例えば、特許文献１には、無線通信装置と無線通信端末との無線接続を確立する無線通信システムとして、無線通信装置は、仮接続用ＳＳＩＤから所定の規則に従って仮接続用パスコードを生成し、仮接続用ＳＳＩＤを無線で送信し、仮接続用ＳＳＩＤおよび仮接続用パスコードを用いて無線通信端末との間で確立された仮接続において、無線通信端末に本接続用ＳＳＩＤおよび本接続用パスコードを送信し、無線通信端末は、無線通信装置から仮接続用ＳＳＩＤを取得し、仮接続用ＳＳＩＤから所定の規則に従って仮接続用パスコードを生成し、仮接続用ＳＳＩＤおよび生成した仮接続用パスコードを用いて無線通信装置と仮接続を行い、仮接続において、無線通信装置から本接続用ＳＳＩＤおよび本接続用パスコードを取得し、本接続用ＳＳＩＤおよび本接続用パスコードを用いて無線通信装置と本接続を行う無線通信システムが開示されている。
【先行技術文献】
【特許文献】
【０００３】
【特許文献１】特開２０１４−１７５８９２号公報
【発明の概要】
【発明が解決しようとする課題】
【０００４】
制御手段が自装置の内部に設けられた機能部を制御する場合に、制御手段と機能部との間で無線接続を確立する場合がある。このような場合に、制御対象の機能部を除く他の機能部が存在すると、制御手段と他の機能部との間で誤って無線接続が確立されてしまうことがある。
本発明の目的は、機能部を制御する制御手段と機能部との間で無線接続を確立する場合に、機能部を除く他の機能部による制御手段への誤接続を無くすことにある。
【課題を解決するための手段】
【０００５】
請求項１に記載の発明は、自装置の内部に設けられた１又は複数の機能部に対して無線接続可能に構成され、当該１又は複数の機能部の機能を実現させるための制御を行う制御手段と、前記１又は複数の機能部の電源を制御する電源制御手段と、前記１又は複数の機能部のうち前記制御手段との間で無線接続が確立されている全ての機能部の電源を前記電源制御手段によりオフした後、当該１又は複数の機能部を除く他の機能部と当該制御手段との間の無線接続を切断する接続切断手段とを備える情報処理装置である。
請求項２に記載の発明は、前記接続切断手段は、無線接続を確立する際の認証に必要とされる認証情報を変更して、前記他の機能部と前記制御手段との間の無線接続を切断することを特徴とする請求項１に記載の情報処理装置である。
請求項３に記載の発明は、前記制御手段と前記１又は複数の機能部との間で無線接続を確立する接続確立手段をさらに備え、前記電源制御手段は、前記接続切断手段が無線接続を切断した後、前記１又は複数の機能部の電源をオンの状態にして、前記接続確立手段は、前記電源制御手段により前記１又は複数の機能部の電源がオンの状態になった後、前記接続切断手段による変更後の認証情報を用いて、前記制御手段と当該１又は複数の機能部との間で無線接続を確立することを特徴とする請求項２に記載の情報処理装置である。
請求項４に記載の発明は、前記接続切断手段に変更される前の認証情報は、前記他の機能部と共通の情報であり、当該接続切断手段に変更された後の認証情報は、自装置を一意に識別するための情報であることを特徴とする請求項２に記載の情報処理装置である。
請求項５に記載の発明は、前記電源制御手段は、自装置の電源が初めてオンされた場合に、前記１又は複数の機能部と前記制御手段との間で無線接続が確立された後、当該１又は複数の機能部の全ての電源をオフすることを特徴とする請求項１に記載の情報処理装置である。
請求項６に記載の発明は、前記１又は複数の機能部と前記他の機能部には、無線接続を確立する際の認証に必要とされる認証情報の初期設定がなされていることを特徴とする請求項５に記載の情報処理装置である。
請求項７に記載の発明は、予め定められた無線機の動作を制御するとともに、当該予め定められた無線機の電源のオンオフを制御する動作制御手段と、無線接続を確立する際の認証に必要とされる認証情報を用いて、前記予め定められた無線機により前記動作制御手段に対して通信を行うための無線接続を確立する接続確立手段と、前記動作制御手段により前記予め定められた無線機の電源がオフされた場合に、前記認証情報を変更する変更手段とを備える情報処理装置である。
請求項８に記載の発明は、前記動作制御手段は、前記変更手段により前記認証情報が変更された後に前記予め定められた無線機の電源をオンし、前記接続確立手段は、前記動作制御手段により前記予め定められた無線機の電源をオンした後、前記変更手段による変更後の認証情報を用いて、当該予め定められた無線機により当該動作制御手段に対して通信を行うための無線接続を確立することを特徴とする請求項７に記載の情報処理装置である。
請求項９に記載の発明は、自装置の内部に設けられた機能部に対して無線接続可能に構成され、当該機能部の機能を実現させるための制御を行う制御手段と、前記機能部を除く他の機能部が前記制御手段に無線接続されている場合に、当該他の機能部と当該制御手段との間の無線接続を断つ手段とを備える情報処理装置である。
請求項１０に記載の発明は、前記断つ手段は、前記制御手段に無線接続されている前記機能部の全ての電源をオフした後、前記他の機能部が当該制御手段に無線接続されていることを認識し、認識した当該無線接続を断つことを特徴とする請求項９に記載の情報処理装置である。
請求項１１に記載の発明は、コンピュータに、自装置の内部に設けられた１又は複数の機能部のうち、当該１又は複数の機能部に対して無線接続可能に構成され当該１又は複数の機能部の機能を実現させるための制御を行う制御手段との間で無線接続が確立されている全ての機能部の電源をオフする機能と、前記制御手段との間で無線接続が確立された全ての機能部の電源がオフされた後、前記１又は複数の機能部を除く他の機能部と当該制御手段との間の無線接続を切断する機能とを実現させるためのプログラムである。
【発明の効果】
【０００６】
請求項１記載の発明によれば、機能部を制御する制御手段と機能部との間で無線接続を確立する場合に、機能部を除く他の機能部による制御手段への誤接続を無くすことができる。
請求項２記載の発明によれば、より確実に、他の機能部による制御手段への誤接続を無くすことができる。
請求項３記載の発明によれば、さらに、制御手段と機能部との間で無線接続を確立することができる。
請求項４記載の発明によれば、機能部を、他の機能部が搭載される他の情報処理装置でも使用することができる。
請求項５記載の発明によれば、自装置の初期設置の際に、他の機能部による制御手段への誤接続を無くすことができる。
請求項６記載の発明によれば、機能部を、他の機能部が搭載される他の情報処理装置でも使用することができる。
請求項７記載の発明によれば、予め定められた無線機の動作を制御する動作制御手段と予め定められた無線機との間で無線接続を確立する場合に、予め定められた無線機とは異なる他の無線機による動作制御手段への誤接続を無くすことができる。
請求項８記載の発明によれば、さらに、動作制御手段と予め定められた無線機との間で無線接続を確立することができる。
請求項９記載の発明によれば、機能部を制御する制御手段と機能部との間で無線接続を確立する場合に、機能部を除く他の機能部による制御手段への誤接続を無くすことができる。
請求項１０記載の発明によれば、より確実に、他の機能部による制御手段への誤接続を無くすことができる。
請求項１１記載の発明によれば、機能部を制御する制御手段と機能部との間で無線接続を確立する場合に、機能部を除く他の機能部による制御手段への誤接続を無くす機能を、コンピュータにより実現できる。
【図面の簡単な説明】
【０００７】
【図１】（ａ）、（ｂ）は、本実施の形態に係る画像処理システムの全体構成の一例を説明するための図である。
【図２】本実施の形態に係る画像処理装置のハードウェア構成例を示す図である。
【図３】本実施の形態に係る制御部の機能構成例を示したブロック図である。
【図４】アクセスポイントに対して他の機能部が誤接続された場合の処理の手順の一例を示したフローチャートである。
【図５】アクセスポイントに対して他の機能部が誤接続された場合の処理の手順の一例を示したフローチャートである。
【図６】画像処理装置における一連の処理手順の一例を示すフローチャートである。
【図７】（ａ）〜（ｄ）は、アクセスポイントに対して他の機能部が誤接続された場合の処理の具体例を説明するための図である。
【図８−１】（ａ）〜（ｃ）は、アクセスポイントに対して他の機能部が誤接続された場合の処理の具体例を説明するための図である。
【図８−２】（ｄ）、（ｅ）は、アクセスポイントに対して他の機能部が誤接続された場合の処理の具体例を説明するための図である。
【発明を実施するための形態】
【０００８】
以下、添付図面を参照して、本発明の実施の形態について詳細に説明する。
【０００９】
＜画像処理システムの全体構成＞
まず、本実施の形態に係る画像処理システム１について説明する。図１（ａ）、（ｂ）は、本実施の形態に係る画像処理システム１の全体構成の一例を説明するための図である。本実施の形態に係る画像処理システム１は、画像処理装置１００Ａ、画像処理装置１００Ｂを備えている。なお、図１（ａ）、（ｂ）に示す画像処理システム１では、画像処理装置１００Ａ、画像処理装置１００Ｂを示したが、これらを区別する必要がない場合には画像処理装置１００と称することとする。
【００１０】
画像処理装置１００Ａ及び画像処理装置１００Ｂは、例えば、画像読み取り機能（スキャン機能）、印刷機能（プリント機能）、複写機能（コピー機能）及びファクシミリ機能等の各種の画像処理機能を備えた、いわゆる複合機である。また、図１（ａ）に示すように、画像処理装置１００Ａは、制御部１１０Ａ、アクセスポイント（ＡＰ）１２０Ａを有している。
【００１１】
さらに、画像処理装置１００Ａには、画像処理装置１００Ａの機能を実現するために設けられる構成部品である、機能部１３０Ａが設けられる。機能部１３０Ａとしては、例えば、ユーザの認証を行う認証モジュールや、データを記憶するストレージモジュール等が挙げられる。同様に、画像処理装置１００Ｂは、制御部１１０Ｂ、アクセスポイント１２０Ｂ、機能部１３０Ｂを備える。
【００１２】
ここで、画像処理装置１００Ａでは、アクセスポイント１２０Ａと機能部１３０Ａとの間で無線接続が行われることにより、制御部１１０Ａと機能部１３０Ａとの間で無線接続が確立される。そして、制御部１１０Ａは、アクセスポイント１２０Ａを介して、無線通信により機能部１３０Ａの動作を制御する。画像処理装置１００Ｂでも同様に、アクセスポイント１２０Ｂと機能部１３０Ｂとの間で無線接続が行われることにより、制御部１１０Ｂは、アクセスポイント１２０Ｂを介して、無線通信により機能部１３０Ｂの動作を制御する。
【００１３】
ここで、例えば、図１（ｂ）に示すように、アクセスポイント１２０Ａと機能部１３０Ｂとの間で誤って無線接続が行われた場合には、画像処理装置１００Ｂの制御部１１０Ｂにて機能部１３０Ｂを制御できなくなったり、画像処理装置１００Ａの制御部１１０Ａから誤って機能部１３０Ｂへ制御信号が送信されたりしてしまう可能性がある。
【００１４】
そこで、本実施の形態では、画像処理装置１００Ａにおいて、自装置内のアクセスポイント１２０Ａは、制御対象である自装置内の機能部１３０Ａとの間で無線接続を行い、自装置内の機能部１３０Ａではない（即ち、制御対象ではない）他の機能部との間で無線接続を行わないように制御する。以下、このような制御を実現するための画像処理装置１００等の説明を行う。
【００１５】
なお、図１に示す画像処理システム１には、２台の画像処理装置１００しか示していないが、本実施の形態では、３台以上の画像処理装置１００を設けてもよい。また、本実施の形態において、画像処理装置１００は、情報処理装置の一例として用いられる。
【００１６】
＜画像処理装置のハードウェア構成＞
次に、本実施の形態に係る画像処理装置１００のハードウェア構成について説明する。図２は、本実施の形態に係る画像処理装置１００のハードウェア構成例を示す図である。
【００１７】
図示するように、本実施の形態に係る画像処理装置１００は、制御部１１０と、アクセスポイント１２０と、機能部１３０と、ＦＡＸ通信部１４０と、画像読取部１５０と、画像形成部１６０と、操作パネル１７０と、ＨＤＤ（Hard Disk Drive）１８０と、有線通信インタフェース（以下、「有線通信Ｉ／Ｆ」と表記する）１９０とを備える。
【００１８】
制御部１１０は、画像処理装置１００の各部の動作を制御する。例えば、制御部１１０は、機能部１３０の機能を実現させるための制御を行う。また、制御部１１０は、各部の電源の制御を行っており、例えば、アクセスポイント１２０及び機能部１３０の電源供給をコントロールする。
【００１９】
さらに説明すると、制御部１１０は、ＣＰＵ（Central Processing Unit）１１０ａ、ＲＡＭ（Random Access Memory）１１０ｂ、ＲＯＭ（Read Only Memory）１１０ｃにより構成される。ＣＰＵ１１０ａは、ＲＯＭ１１０ｃ等に記憶された各種プログラムをＲＡＭ１１０ｂにロードして実行することにより、画像処理装置１００の各部の動作を制御し、画像処理装置１００における各機能を実現する。ＲＡＭ１１０ｂは、ＣＰＵ１１０ａの作業用メモリ等として用いられるメモリ（記憶部）である。ＲＯＭ１１０ｃは、ＣＰＵ１１０ａが実行する各種プログラム等を記憶するメモリ（記憶部）である。
【００２０】
アクセスポイント１２０は、無線通信機能を有する無線機の一種であり、無線通信機能を有する装置（構成部品）を他のネットワーク（例えば、有線のネットワーク）に接続したり、無線通信機能を有する装置同士を相互に接続したりするのに用いられる。より具体的には、アクセスポイント１２０は、無線通信を行うためのアンテナを有しており、無線通信機能を有する装置との間で無線接続を確立する。そして、アクセスポイント１２０は、無線通信や有線通信により各種データの送受信を行い、装置間における各種データのやり取りを中継する。
【００２１】
さらに説明すると、本実施の形態において、アクセスポイント１２０は、機能部１３０との間で無線接続を行う。また、制御部１１０は、アクセスポイント１２０を介して、機能部１３０に対して無線接続可能に構成される。そのため、アクセスポイント１２０と機能部１３０との間で無線接続が行われることにより、制御部１１０と機能部１３０との間で無線接続が確立されることになる。そして、制御部１１０は、アクセスポイント１２０を介して、無線通信により機能部１３０の動作を制御し、機能部１３０の機能を実現させるための制御を行う。本実施の形態では、接続確立手段の一例として、アクセスポイント１２０が用いられる。
【００２２】
なお、無線接続を確立する処理は、例えば、Ｗｉ−Ｆｉ  Ａｌｌｉａｎｃｅによって策定された規格であるＷＰＳ（Ｗｉ−Ｆｉ  Ｐｒｏｔｅｃｔｅｄ  Ｓｅｔｕｐ（登録商標））に基づいて行われる。ただし、本実施の形態において、無線接続を確立する処理に用いられる規格はＷＰＳに限られるものではなく、例えば、ＡＯＳＳ（AirStationOne-Touch Secure System（登録商標））等を用いてもよい。
【００２３】
機能部１３０は、画像処理装置１００の機能を実現するために設けられる構成部品である。この機能部１３０には、画像処理装置１００に予め搭載された機能を拡張するものや、画像処理装置１００に対して新たな機能を具備するものが含まれる。さらに、この機能部１３０には、画像処理装置１００に取り付け及び取り外し可能なものが含まれる。より具体的には、機能部１３０としては、例えば、画像処理（画像読取部１５０による画像読み取り等）を実行する場合にユーザの認証を行う認証モジュールや、画像処理に関するデータ等を記憶するストレージモジュールが例示される。
【００２４】
ここで、機能部１３０は、無線通信を行うためのアンテナを有しており、上述したように、アクセスポイント１２０との間で無線接続を確立する。そして、機能部１３０は、アクセスポイント１２０を介して、制御部１１０等の他の構成部品との間で各種データの送受信を行う。本実施の形態では、予め定められた無線機の一例として、機能部１３０が用いられる。
【００２５】
ＦＡＸ通信部１４０は、例えばＦＡＸモデムである。このＦＡＸ通信部１４０は、不図示の公衆電話回線に接続され、画像処理装置１００が公衆電話回線を介して他の装置とＦＡＸ通信を行うためのインタフェースとして機能する。
【００２６】
画像読取部１５０は、原稿台上にセットされた用紙等の記録材に形成されている画像を読み取って、読み取った画像を示す画像データを生成する。ここで、画像読取部１５０は、例えばスキャナーであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２７】
画像形成部１６０は、用紙等の記録材に画像を形成する印刷機構である。ここで、画像形成部１６０は、例えばプリンターであり、感光体に付着させたトナーを記録材に転写して像を形成する電子写真方式や、インクを記録材上に吐出して像を形成するインクジェット方式のものを用いるとよい。
【００２８】
操作パネル１７０は、各種の情報を表示するとともに、ユーザからの操作を受け付ける。この操作パネル１７０は、液晶ディスプレイ等で構成された表示パネル、表示パネルの上に配置され、ユーザによりタッチされた位置を検出するタッチパネル、ユーザにより押下される物理キー等から構成される。そして、操作パネル１７０は、例えば、画像処理装置１００の操作画面等の各種画面を表示パネルに表示したり、タッチパネル及び物理キーによりユーザからの操作を受け付けたりする。
【００２９】
ＨＤＤ１８０は、各種データを記憶する記憶部である。ＨＤＤ１８０には、例えば、画像読取部１５０の画像読み取りによって生成された画像データや、有線通信Ｉ／Ｆ１９０によって外部から受信した画像データ等が記憶される。
【００３０】
有線通信Ｉ／Ｆ１９０は、不図示のネットワークを介して、他の装置との間で有線通信により各種データの送受信を行う通信インタフェースである。
【００３１】
そして、この画像処理装置１００では、制御部１１０による制御の下、画像読取部１５０によってスキャン機能が実現され、画像形成部１６０によってプリント機能が実現され、画像読取部１５０及び画像形成部１６０によってコピー機能が実現され、画像読取部１５０、画像形成部１６０及びＦＡＸ通信部１４０によってファクシミリ機能が実現される。
【００３２】
なお、図２に示す例では、アクセスポイント１２０との間で無線接続が行われる機能部１３０を１台しか示していないが、本実施の形態では、２台以上の機能部１３０を設けてもよい。また、機能部１３０としては、認証モジュールやストレージモジュールに限られず、アクセスポイント１２０との間で無線接続が行われる構成部品であればどのようなものでもよい。例えば、機能部１３０として、ＣＰＵを搭載したプロセッサモジュールを用いてもよい。
【００３３】
＜無線接続モードの説明＞
次に、本実施の形態に係る画像処理装置１００が有する無線接続モード（無線接続の形式）について説明する。この無線接続モードでは、無線接続を確立するために用いられるＳＳＩＤ（Service Set Identifier）及びパスワードが設けられている。
【００３４】
ＳＳＩＤとは、アクセスポイント１２０を識別するための識別子、言い換えると、無線通信の接続先を識別するための識別子である。ＳＳＩＤ及びパスワードは、無線接続を確立する際の認証に必要とされる情報として、アクセスポイント１２０及び機能部１３０のそれぞれに設定（セット）される。アクセスポイント１２０及び機能部１３０に設定されたＳＳＩＤ及びパスワードは、変更可能である。
【００３５】
そして、本実施の形態では、設置モード、運用モードという２種類の無線接続モードが存在する。設置モードとは、画像処理装置１００を新たに設置する初期設置時や、機能部１３０を画像処理装置１００に追加する追加設置時などに用いられる無線接続モードである。運用モードとは、画像処理装置１００を設置した後、画像処理装置１００の運用中に用いられる無線接続モードである。設置モードでは、設置モードのＳＳＩＤ及びパスワードが設けられる。また、運用モードでは、運用モードのＳＳＩＤ及びパスワードが設けられる。
【００３６】
さらに説明すると、設置モードのＳＳＩＤ及びパスワードは、アクセスポイント１２０及び機能部１３０における認証情報の初期値である。この設置モードのＳＳＩＤ及びパスワードは、例えば製造工程での作業を簡易化するために、全ての画像処理装置１００に共通の値が用意される。例えば、複数の画像処理装置１００が存在する場合、それらの画像処理装置１００が初期状態であれば、各画像処理装置１００のアクセスポイント１２０及び機能部１３０には設置モードのＳＳＩＤ及びパスワードが設定されている。そのため、設置モードのＳＳＩＤ及びパスワードが設定されたアクセスポイント１２０、機能部１３０は、他の画像処理装置１００への転用が可能である。
【００３７】
なお、設置モードのパスワードを予め定めておくのではなく、画像処理装置１００の制御部１１０が、設置モードのＳＳＩＤから予め定められた規則に従って設置モードのパスワードを生成してもよい。同様に、画像処理装置１００の制御部１１０が、設置モードのパスワードから、予め定められた規則に従って設置モードのＳＳＩＤを生成してもよい。
【００３８】
一方、運用モードのＳＳＩＤ及びパスワードは、画像処理装置１００の運用中に用いられるものであり、画像処理装置１００に個別に設けられる装置固有の値である。この運用モードのＳＳＩＤ及びパスワードは、各画像処理装置１００を一意に識別するための値であり、例えばシリアル番号や製造番号のように、画像処理装置１００の装置間で一致しないように用意される。運用モードのＳＳＩＤ及びパスワードは、例えば、一意の値として画像処理装置１００に予め設定されていてもよいし、画像処理装置１００の制御部１１０が、例えばシリアル番号のような一意の値から予め定められた規則に従って生成してもよい。
【００３９】
そして、例えば、アクセスポイント１２０及び機能部１３０が設置モードの場合、アクセスポイント１２０と機能部１３０との間で設置モードのＳＳＩＤ及びパスワードがやり取りされ、無線接続が確立される。また、例えば、アクセスポイント１２０及び機能部１３０が運用モードの場合、アクセスポイント１２０と機能部１３０との間で運用モードのＳＳＩＤ及びパスワードがやり取りされ、無線接続が確立される。
【００４０】
また、アクセスポイント１２０及び機能部１３０では、操作者によって、ＳＳＩＤ及びパスワードを設置モードのＳＳＩＤ及びパスワードに戻す初期化の操作が可能である。アクセスポイント１２０及び機能部１３０が初期化されることによって、これらの装置を他の画像処理装置１００へ転用することが可能になる。
なお、以下では、ＳＳＩＤ及びパスワードをまとめて「認証情報」と称する場合がある。
【００４１】
＜制御部の機能構成＞
次に、本実施の形態に係る画像処理装置１００の制御部１１０の機能構成について説明する。図３は、本実施の形態に係る制御部１１０の機能構成例を示したブロック図である。本実施の形態に係る制御部１１０は、電源制御部１１１と、無線接続判定部１１２と、機能部情報取得部１１３と、モード切替部１１４と、機能制御部１１５とを備える。
【００４２】
電源制御部１１１は、画像処理装置１００の各部の電源を制御する。例えば、電源制御部１１１は、操作者により画像処理装置１００に電源を供給する操作（即ち、電源ＯＮの操作）が行われた場合、アクセスポイント１２０及び機能部１３０などの画像処理装置１００の各部に電源を供給する制御を行う。
【００４３】
無線接続判定部１１２は、アクセスポイント１２０及び機能部１３０における無線接続の状況を確認する。より具体的には、無線接続判定部１１２は、例えば、アクセスポイント１２０から、アクセスポイント１２０との間で無線接続が確立されている機器の情報を取得して、アクセスポイント１２０及び機能部１３０における無線接続の状況を確認する。また、無線接続判定部１１２は、例えば、機能部１３０に対して情報のやり取りを行うことができるか否かを確認して、アクセスポイント１２０及び機能部１３０における無線接続の状況を確認する。
【００４４】
さらに説明すると、例えば、無線接続判定部１１２は、電源制御部１１１によってアクセスポイント１２０及び機能部１３０に電源が供給（電源ＯＮ）された場合、アクセスポイント１２０と機能部１３０との間で無線接続が確立されたか否かを判定する。
また、例えば、無線接続判定部１１２は、電源制御部１１１によって自装置内の機能部１３０への電源供給が停止（電源ＯＦＦ）された場合、アクセスポイント１２０において確立されている無線接続が存在するか否かを判定する。ここで、無線接続判定部１１２は、アクセスポイント１２０において確立されている無線接続が存在すると判定した場合、自装置内の機能部１３０ではない他の機能部とアクセスポイント１２０との間で無線接続が確立されている（即ち、誤接続されている）と判断する。
【００４５】
機能部情報取得部１１３は、無線接続判定部１１２によって、アクセスポイント１２０と機能部１３０との間で無線接続が確立されていると判定された場合に、機能部１３０の情報を取得する。より具体的には、機能部情報取得部１１３は、例えば、アクセスポイント１２０や機能部１３０から、機能部１３０のシリアル番号やＩＰアドレス等の情報を取得する。
【００４６】
また、機能部情報取得部１１３は、無線接続判定部１１２によって、アクセスポイント１２０と他の機能部との間で誤接続がなされていると判定された場合に、誤接続されている他の機能部の情報を取得する。より具体的には、機能部情報取得部１１３は、例えば、アクセスポイント１２０や誤接続されている他の機能部から、他の機能部１３０のシリアル番号やＩＰアドレス等の情報を取得する。
【００４７】
モード切替部１１４は、アクセスポイント１２０及び機能部１３０の無線接続モードを切り替える。言い換えると、モード切替部１１４は、アクセスポイント１２０及び機能部１３０の無線接続モードを、設置モードから運用モードに切り替える。また、モード切替部１１４は、アクセスポイント１２０及び機能部１３０の無線接続モードを、運用モードから設置モードに切り替える。
【００４８】
より具体的には、モード切替部１１４は、アクセスポイント１２０の無線接続モードを、設置モードから運用モードに切り替える場合、アクセスポイント１２０に対して運用モードの認証情報を送信し、運用モードの認証情報をアクセスポイント１２０のメモリ等に書き込む。その結果、アクセスポイント１２０に設定された設置モードの認証情報が、運用モードの認証情報へ変更される。同様に、モード切替部１１４は、アクセスポイント１２０の無線接続モードを、運用モードから設置モードに切り替える場合、アクセスポイント１２０に対して設置モードの認証情報を送信し、運用モードの認証情報をアクセスポイント１２０のメモリ等に書き込む。その結果、アクセスポイント１２０に設定された運用モードの認証情報が、設置モードの認証情報へ変更される。機能部１３０でも同様に、モード切替部１１４から送信された認証情報が機能部１３０のメモリ等に書き込まれることにより、モード切替が行われる。
【００４９】
さらに説明すると、例えば、無線接続判定部１１２によって、アクセスポイント１２０と他の機能部との間で誤接続がなされていると判定された場合には、アクセスポイント１２０及び他の機能部に共通の認証情報（即ち、設置モードの認証情報）が設定されていると考えられる。この場合、モード切替部１１４は、アクセスポイント１２０及び自装置内の機能部１３０の無線接続モードを、設置モードから運用モードに切り替える。
【００５０】
アクセスポイント１２０に運用モードの認証情報が設定されることにより、アクセスポイント１２０と他の機能部との間の誤接続が切断される。また、アクセスポイント１２０と他の機能部とが再接続されないようになる。さらに、アクセスポイント１２０と機能部１３０との間では、運用モードの認証情報によって無線接続が確立される。
【００５１】
機能制御部１１５は、機能部１３０の機能を実現させるための制御を行う。ここで、アクセスポイント１２０と機能部１３０との間で無線接続が行われることにより、機能制御部１１５は、アクセスポイント１２０を介して、無線通信により機能部１３０の動作を制御し、機能部１３０の機能を実現させるための制御を行う。
【００５２】
そして、図３に示す制御部１１０を構成する各機能部は、ソフトウェアとハードウェア資源とが協働することにより実現される。具体的には、画像処理装置１００を図２に示したハードウェア構成にて実現した場合、例えば、ＲＯＭ１１０ｃに格納されているＯＳ（Operating System）のプログラムやアプリケーション・プログラムが、ＲＡＭ１１０ｂに読み込まれてＣＰＵ１１０ａに実行されることにより、電源制御部１１１、無線接続判定部１１２、機能部情報取得部１１３、モード切替部１１４、機能制御部１１５等の各機能部が実現される。
【００５３】
なお、本実施の形態では、電源制御手段の一例として、電源制御部１１１が用いられる。制御手段の一例として、制御部１１０（又は機能制御部１１５）が用いられる。接続切断手段、変更手段、無線接続を断つ手段の一例として、モード切替部１１４が用いられる。動作制御手段の一例として、制御部１１０（又は機能制御部１１５）、電源制御部１１１が用いられる。
【００５４】
＜誤接続がある場合の処理の手順＞
次に、画像処理装置１００のアクセスポイント１２０に対して、自装置内の機能部１３０ではない他の機能部が誤接続された場合の処理の手順について説明する。図４及び図５は、アクセスポイント１２０に対して他の機能部が誤接続された場合の処理の手順の一例を示したフローチャートである。図４に示す手順は、画像処理装置１００の初期設置時の手順である。また、図５に示す手順は、画像処理装置１００に新たに機能部１３０を追加する追加設置時の手順である。
【００５５】
図４を参照しながら、画像処理装置１００の初期設置時の手順について説明する。
【００５６】
まず、操作者によって画像処理装置１００が新たに設置される（ステップ１０１）。また、画像処理装置１００は、操作者による電源ＯＮの操作を受け付ける（ステップ１０２）。この操作により、画像処理装置１００が初めて電源ＯＮされる。電源ＯＮの操作が行われると、電源制御部１１１は、アクセスポイント１２０及び機能部１３０に電源を供給（電源ＯＮ）する（ステップ１０３）。ここで、アクセスポイント１２０及び機能部１３０には初期設定である設置モードの認証情報が設定されているため、アクセスポイント１２０と機能部１３０との間で無線接続が確立される。
【００５７】
次に、無線接続判定部１１２は、アクセスポイント１２０と機能部１３０との間で無線接続が確立されたか否かを判定する（ステップ１０４）。ステップ１０４で否定の判断（ＮＯ）がされた場合、引き続き、ステップ１０４の判定が行われる。ステップ１０４で肯定の判断（ＹＥＳ）がされた場合、電源制御部１１１は、機能部１３０への電源供給を停止（電源ＯＦＦ）する（ステップ１０５）。付言すると、電源制御部１１１は、アクセスポイント１２０との間で無線接続が確立されている機能部１３０への電源供給を停止する。機能部１３０への電源供給が停止されることにより、アクセスポイント１２０と機能部１３０との間の無線接続は切断される。
【００５８】
なお、画像処理装置１００が複数の機能部１３０を有しており、ステップ１０４において、アクセスポイント１２０との間で無線接続が確立された機能部１３０が複数存在する場合には、ステップ１０５において、電源制御部は、アクセスポイント１２０との間で無線接続が確立されている全ての機能部１３０の電源供給を停止する。
【００５９】
次に、無線接続判定部１１２は、アクセスポイント１２０において無線接続が確立されているか否かを判定する（ステップ１０６）。ステップ１０６で肯定の判断（ＹＥＳ）がされた場合、無線接続判定部１１２は、アクセスポイント１２０に対して、自装置内の機能部１３０ではない他の機能部が無線接続されている（即ち、誤接続されている）と判断する。ここで、機能部情報取得部１１３は、誤接続されている他の機能部の情報を取得する（ステップ１０７）。より具体的には、機能部情報取得部１１３は、アクセスポイント１２０や他の機能部から、例えば、他の機能部のシリアル番号やＩＰアドレス等を取得する。
【００６０】
ステップ１０７の後、又はステップ１０６で否定の判断（ＮＯ）がされた場合、電源制御部１１１は、機能部１３０に電源を供給（電源ＯＮ）する（ステップ１０８）。ここで、アクセスポイント１２０及び機能部１３０には設置モードの認証情報が設定されているため、アクセスポイント１２０と機能部１３０との間で無線接続が確立される。
【００６１】
なお、ステップ１０８において、画像処理装置１００が複数の機能部１３０を有している場合、電源制御部１１１は、画像処理装置１００が有する全ての複数の機能部１３０に電源を供給する。ただし、例えば、画像処理装置１００において起動させる必要のない（画像処理装置１００で使用されない）機能部１３０が存在する場合、電源制御部１１１は、そのような機能部１３０に対しては電源供給しなくてもよい。
【００６２】
次に、無線接続判定部１１２は、アクセスポイント１２０と機能部１３０との間で無線接続が確立されたか否かを判定する（ステップ１０９）。ステップ１０９で否定の判断（ＮＯ）がされた場合、引き続き、ステップ１０９の判定が行われる。ステップ１０９で肯定の判断（ＹＥＳ）がされた場合、機能部情報取得部１１３は、ステップ１０９において無線接続が確立された旨の判定が行われた機能部１３０の情報を取得する（ステップ１１０）。ここでは、ステップ１０７と同様に、機能部情報取得部１１３は、アクセスポイント１２０や機能部１３０から、例えば、機能部１３０のシリアル番号やＩＰアドレス等を取得する。なお、これらの情報は、アクセスポイント１２０に対する正常な接続（誤接続ではない接続）がなされた機能部１３０の情報として扱われる。
【００６３】
次に、モード切替部１１４は、アクセスポイント１２０及び機能部１３０の無線接続モードを、設置モードから運用モードに切り替える（ステップ１１１）。ここで、モード切替部１１４は、ステップ１０７で取得された情報、及び、ステップ１１０で取得された情報により、自装置内の機能部１３０、誤接続されている他の機能部を判別する。そして、モード切替部１１４は、自装置内の機能部１３０に対して運用モードの認証情報を設定する。また、モード切替部１１４は、誤接続されている他の機能部については、設置モードのままにする。
【００６４】
次に、電源制御部１１１は、アクセスポイント１２０及び機能部１３０の電源の供給を停止（電源ＯＦＦ）し、再度、アクセスポイント１２０及び機能部１３０に電源を供給（電源ＯＮ）する（ステップ１１２）。即ち、電源制御部１１１は、アクセスポイント１２０及び機能部１３０を再起動する。この再起動により、認証情報の変更が反映される。即ち、アクセスポイント１２０及び機能部１３０の運用モードの認証情報が有効化される。そして、運用モードの認証情報を用いて、アクセスポイント１２０と機能部１３０との間で無線接続が確立される。
【００６５】
無線接続判定部１１２は、アクセスポイント１２０と機能部１３０との間で無線接続が確立されたか否かを判定する（ステップ１１３）。ステップ１１３で否定の判断（ＮＯ）がされた場合、引き続き、ステップ１１３の判定が行われる。ステップ１１３で肯定の判断（ＹＥＳ）がされた場合、本処理フローは終了する。
【００６６】
なお、上述した例では、ステップ１１２において、認証情報の変更を反映するために、電源制御部１１１がアクセスポイント１２０及び機能部１３０を再起動したが、認証情報の変更を反映する手法としては、このような構成に限られない。例えば、画像処理装置１００は、アクセスポイント１２０及び機能部１３０を再起動することなく、認証情報の変更を反映させるためのコマンドを実行することにより、認証情報の変更を反映させてもよい。また、例えば、操作者が画像処理装置１００に設けられた専用ボタンを押下することにより、認証情報の変更を反映させてもよい。さらに、例えば、モード切替部１１４が、アクセスポイント１２０や機能部１３０に対して認証情報を設定（変更）することにより、認証情報の変更を反映させる別の処理を実行せずに、認証情報の変更を反映してもよい。
【００６７】
また、以下では、図４に示すステップ１０３〜ステップ１１０の処理を「初期設置時の接続モジュール判定処理」と称する場合がある。また、ステップ１１１〜ステップ１１３の処理を「初期設置時のモード切替処理」と称する場合がある。
【００６８】
次に、図５を参照しながら、画像処理装置１００に新たに機能部１３０を追加する追加設置時の手順について説明する。ここで、新たに追加される機能部１３０と区別するために、画像処理装置１００に既に設置されている機能部１３０を「機能部１３１」と称する。画像処理装置１００は運用中であるため、図４のステップ１１１の処理により、アクセスポイント１２０及び機能部１３１には、運用モードの認証情報が設定されている。
【００６９】
まず、操作者によって画像処理装置１００に機能部１３０が新たに設置される（ステップ２０１）。また、画像処理装置１００は、操作者による電源ＯＮの操作を受け付ける（ステップ２０２）。電源ＯＮの操作が行われると、電源制御部１１１はアクセスポイント１２０に電源を供給（電源ＯＮ）し、モード切替部１１４はアクセスポイント１２０に設定されている運用モードの認証情報を設置モードの認証情報に変更する（ステップ２０３）。なお、認証情報の変更を反映するために、電源制御部１１１によってアクセスポイント１２０の再起動が行われる。
【００７０】
次に、電源制御部１１１は、追加された機能部１３０に電源を供給（電源ＯＮ）する（ステップ２０４）。ここで、アクセスポイント１２０及び機能部１３０には設置モードの認証情報が設定されているため、アクセスポイント１２０と機能部１３０との間で無線接続が確立される。
【００７１】
次に、無線接続判定部１１２は、アクセスポイント１２０と追加された機能部１３０との間で無線接続が確立されたか否かを判定する（ステップ２０５）。ステップ２０５で否定の判断（ＮＯ）がされた場合、引き続き、ステップ２０５の判定が行われる。ステップ２０５で肯定の判断（ＹＥＳ）がされた場合、電源制御部１１１は、追加された機能部１３０への電源供給を停止（電源ＯＦＦ）する（ステップ２０６）。機能部１３０への電源供給が停止されることにより、アクセスポイント１２０と機能部１３０との間の無線接続は切断される。
【００７２】
なお、画像処理装置１００に複数の機能部１３０が追加された場合、ステップ２０４では、アクセスポイント１２０と追加された複数の機能部１３０との間で無線接続が確立される。また、ステップ２０５では、アクセスポイント１２０と追加された複数の機能部１３０との間で無線接続が確立されたか否かが判定される。そして、ステップ２０６において、電源制御部は、追加された複数の機能部１３０全ての電源供給を停止する。
【００７３】
次に、無線接続判定部１１２は、アクセスポイント１２０において無線接続が確立されているか否かを判定する（ステップ２０７）。ステップ２０７で肯定の判断（ＹＥＳ）がされた場合、無線接続判定部１１２は、アクセスポイント１２０に対して、自装置内の機能部１３０ではない他の機能部が無線接続されている（即ち、誤接続されている）と判断する。ここで、機能部情報取得部１１３は、誤接続されている他の機能部の情報を取得する（ステップ２０８）。
【００７４】
ステップ２０８の後、又はステップ２０７で否定の判断（ＮＯ）がされた場合、電源制御部１１１は、追加された機能部１３０へ電源を供給（電源ＯＮ）する（ステップ２０９）。ここで、アクセスポイント１２０及び機能部１３０には設置モードの認証情報が設定されているため、アクセスポイント１２０と機能部１３０との間で無線接続が確立される。
【００７５】
次に、無線接続判定部１１２は、アクセスポイント１２０と追加された機能部１３０との間で無線接続が確立されたか否かを判定する（ステップ２１０）。ステップ２１０で否定の判断（ＮＯ）がされた場合、引き続き、ステップ２１０の判定が行われる。ステップ２１０で肯定の判断（ＹＥＳ）がされた場合、機能部情報取得部１１３は、ステップ２１０において無線接続が確立された旨の判定が行われた機能部１３０の情報を取得する（ステップ２１１）。ここで取得される機能部１３０の情報は、アクセスポイント１２０に対する正常な接続（誤接続ではない接続）がなされた機能部１３０の情報として扱われる。
【００７６】
次に、モード切替部１１４は、アクセスポイント１２０及び機能部１３０の無線接続モードを、設置モードから運用モードに切り替える（ステップ２１２）。ここで、モード切替部１１４は、ステップ２０８で取得された情報、及び、ステップ２１１で取得された情報により、自装置内の機能部１３０、誤接続されている他の機能部を判別する。そして、モード切替部１１４は、自装置内の機能部１３０に対して運用モードの認証情報を設定する。また、モード切替部１１４は、誤接続されている他の機能部については、設置モードのままにする。
【００７７】
次に、電源制御部１１１は、アクセスポイント１２０及び追加された機能部１３０を再起動（電源ＯＦＦ／ＯＮ）する。また、電源制御部１１１は、既に設置済みの機能部１３１に電源を供給（電源ＯＮ）する（ステップ２１３）。アクセスポイント１２０及び機能部１３０の再起動により、認証情報の変更が反映される。また、機能部１３１には、既に運用モードの認証情報が設定されている。そのため、アクセスポイント１２０と機能部１３０及び機能部１３１との間で無線接続が確立される。
【００７８】
無線接続判定部１１２は、アクセスポイント１２０と機能部１３０及び機能部１３１との間で無線接続が確立されたか否かを判定する（ステップ２１４）。ステップ２１４で否定の判断（ＮＯ）がされた場合、引き続き、ステップ２１４の判定が行われる。ステップ２１４で肯定の判断（ＹＥＳ）がされた場合、本処理フローは終了する。
【００７９】
なお、上述した例では、ステップ２０４において、電源制御部１１１は、既に設置されている機能部１３１の電源をＯＮにしていないが、機能部１３１の電源をＯＮにしてもよい。機能部１３１の電源をＯＮにしたとしても、機能部１３１には運用モードの認証情報が設定されているため、アクセスポイント１２０との間で無線接続は確立されない。その後、ステップ２１２においてアクセスポイント１２０が運用モードに切り替えられることで、アクセスポイント１２０と機能部１３１との間で無線接続が確立される。
【００８０】
また、上述した例では、モード切替部１１４は、ステップ２０３においてアクセスポイント１２０を運用モードから設置モードに切り替えたが、アクセスポイント１２０を運用モードのままにしてもよい。この場合、モード切替部１１４は、新たに追加された機能部１３０を設置モードから運用モードに切り替えることで、アクセスポイント１２０及び機能部１３０が運用モードになるため、アクセスポイント１２０と機能部１３０との間で無線接続が確立される。
【００８１】
また、以下では、図５に示すステップ２０４〜ステップ２１１の処理を「追加設置時の接続モジュール判定処理」と称する場合がある。また、ステップ２１２〜ステップ２１４の処理を「追加設置時のモード切替処理」と称する場合がある。
【００８２】
ここで、図４に示す処理及び図５に示す処理の何れが行われるかは、画像処理装置１００に対する作業の内容によって決まる。そこで、図４に示す処理及び図５に示す処理の何れが行われるかについての一連の処理手順を説明する。図６は、画像処理装置１００における一連の処理手順の一例を示すフローチャートである。
【００８３】
まず、画像処理装置１００は、操作者による電源ＯＮの操作を受け付ける（ステップ３０１）。次に、電源制御部１１１は、設置作業であるか否かを判定する（ステップ３０２）。ここで、電源制御部１１１は、画像処理装置１００の初期設置又は機能部１３０の追加設置の作業であるか否かを判定する。より具体的には、電源制御部１１１は、例えば、画像処理装置１００が初めて電源ＯＮされた場合や、モード切替部１１４によるモード切替の処理がまだ行われていない状況で電源ＯＮの操作を受け付けた場合には、初期設置の作業であると判定する。また、電源制御部１１１は、例えば、画像処理装置１００に新たに機能部１３０が追加されたことを検知した場合には、機能部１３０の追加設置の作業であると判定する。
【００８４】
ステップ３０２で否定の判断（ＮＯ）がされた場合、本処理フローは終了する。付言すると、ステップ３０２で否定の判断がされる場合とは、例えば、既に運用中の画像処理装置１００を使用するために、操作者が電源ＯＮする場合である。一方、ステップ３０２で肯定の判断（ＹＥＳ）がされた場合、電源制御部１１１は、初期設置の作業であるか否かを判定する（ステップ３０３）。ステップ３０３で肯定の判断（ＹＥＳ）がされた場合、初期設置時の接続モジュール判定処理が行われる（ステップ３０４）。次に、初期設置時のモード切替処理が行われる（ステップ３０５）。そして、本処理フローは終了する。
【００８５】
一方、ステップ３０３で否定の判断（ＮＯ）がされた場合、図５のステップ２０３の処理が行われる（ステップ３０６）。即ち、電源制御部１１１はアクセスポイント１２０に電源を供給（電源ＯＮ）し、モード切替部１１４はアクセスポイント１２０に設定されている運用モードの認証情報を設置モードの認証情報に変更する。次に、追加設置時の接続モジュール判定処理が行われる（ステップ３０７）。次に、追加設置時のモード切替処理が行われる（ステップ３０８）。そして、本処理フローは終了する。
【００８６】
＜誤接続がある場合の処理の具体例＞
次に、画像処理装置１００のアクセスポイント１２０に対して、自装置内の機能部１３０ではない他の機能部が誤接続された場合の処理について、具体例を挙げて説明する。図７、図８ー１及び図８−２は、アクセスポイント１２０に対して他の機能部が誤接続された場合の処理の具体例を説明するための図である。ここで、図７（ａ）〜（ｄ）に示す例は、画像処理装置１００の初期設置時の例である。また、図８ー１（ａ）〜（ｃ）及び図８−２（ｄ）、（ｅ）に示す例は、画像処理装置１００に新たに機能部１３０を追加する追加設置時の例である。なお、以下に示すステップは、図４及び図５の各ステップに対応するものとする。
【００８７】
まず、図７（ａ）〜（ｄ）を参照しながら、画像処理装置１００の初期設置時の例について説明する。ここでは、画像処理装置１００Ａが新たに設置されるものとする。画像処理装置１００Ａは、制御部１１０Ａ、アクセスポイント１２０Ａ、機能部１３０Ａを備えている。また、画像処理装置１００Ａから予め定められた範囲内、言い換えると、画像処理装置１００Ａから無線電波が届く範囲内に、画像処理装置１００Ｂが設置されている。画像処理装置１００Ｂは、制御部１１０Ｂ、アクセスポイント１２０Ｂ、機能部１３０Ｂを備えている。
【００８８】
画像処理装置１００Ａは初期設置のため、図７（ａ）に示すように、アクセスポイント１２０Ａ、機能部１３０Ａには、設置モードの認証情報が設定される。また、画像処理装置１００Ｂのアクセスポイント１２０Ｂ、機能部１３０Ｂにも、設置モードの認証情報が設定されているものとする。設置モードの認証情報は画像処理装置１００Ａと画像処理装置１００Ｂとで共通のため、この場合、アクセスポイント１２０Ａは、機能部１３０Ａの他に、機能部１３０Ｂとの間で無線接続を確立する可能性がある。この例では、アクセスポイント１２０Ａは、機能部１３０Ａ及び機能部１３０Ｂとの間で無線接続を確立する。
【００８９】
画像処理装置１００Ａが設置されて電源ＯＮの操作を受け付け（ステップ１０１、ステップ１０２）、アクセスポイント１２０Ａ及び機能部１３０Ａに電源が供給されると（ステップ１０３）、アクセスポイント１２０Ａと機能部１３０Ａとの間で無線接続が確立される（ステップ１０４でＹＥＳ）。次に、電源制御部１１１は、機能部１３０Ａへの電源供給を停止する（ステップ１０５）。
【００９０】
機能部１３０Ａの電源供給が停止されることにより、図７（ｂ）に示すように、アクセスポイント１２０Ａと機能部１３０Ａとの間の無線接続は切断される。一方、アクセスポイント１２０Ａと機能部１３０Ｂとの間の無線接続は確立されたままである。ここで、無線接続判定部１１２は、アクセスポイント１２０に対して、自装置内の機能部１３０Ａではない他の機能部（この例では、機能部１３０Ｂ）が無線接続されている（誤接続されている）と判断する（ステップ１０６でＹＥＳ）。次に、機能部情報取得部１１３は、誤接続されている機能部１３０Ｂの情報を取得する（ステップ１０７）。
【００９１】
次に、電源制御部１１１は、機能部１３０Ａへ電源を供給する（ステップ１０８）。機能部１３０Ａに電源が供給されることにより、図７（ｃ）に示すように、アクセスポイント１２０Ａと機能部１３０Ａとの間で、再度、無線接続が確立される。アクセスポイント１２０Ａと機能部１３０Ａとの間の無線接続の確立処理が終了したと無線接続判定部１１２に判定されると（ステップ１０９でＹＥＳ）、機能部情報取得部１１３は、機能部１３０Ａの情報を取得する（ステップ１１０）。
【００９２】
次に、モード切替部１１４は、図７（ｄ）に示すように、アクセスポイント１２０Ａ及び機能部１３０Ａの無線接続モードを、設置モードから運用モードに切り替える（ステップ１１１）。ここで、モード切替部１１４は、機能部情報取得部１１３が取得した機能部１３０Ｂの情報及び機能部１３０Ａの情報により、誤接続されている機能部１３０Ｂ、自装置内の機能部１３０Ａを判別する。そして、モード切替部１１４は、自装置内の機能部１３０Ａに対して運用モードの認証情報を設定する。一方、モード切替部１１４は、機能部１３０Ｂについては設置モードのままにする。また、アクセスポイント１２０Ａ及び機能部１３０Ａが再起動され（ステップ１１２）、認証情報の変更が反映される。
【００９３】
モード切替部１１４がアクセスポイント１２０Ａ及び機能部１３０Ａを運用モードに切り替えると、運用モードの認証情報を用いて、アクセスポイント１２０Ａと機能部１３０Ａとの間で無線接続が確立される。一方、機能部１３０Ｂに設定されている認証情報は設置モードの認証情報であり、アクセスポイント１２０Ａに設定されている認証情報とは異なるため、アクセスポイント１２０Ａと機能部１３０Ｂとの間の無線接続は切断される。
【００９４】
このように、画像処理装置１００の初期設置時に、アクセスポイント１２０Ａと機能部１３０Ｂとの間で誤接続がなされたとしても、アクセスポイント１２０Ａに運用モードの認証情報を設定することにより、アクセスポイント１２０Ａと機能部１３０Ｂとの間の誤接続が切断され、再接続されないようになる。
【００９５】
次に、図８ー１（ａ）〜（ｃ）、図８−２（ｄ）、（ｅ）を参照しながら、画像処理装置１００に新たに機能部１３０を追加する場合の例について説明する。図８−１及び図８−２に示す例では、画像処理装置１００Ａは、制御部１１０Ａ、アクセスポイント１２０Ａ，機能部１３１Ａを備えており、新たに機能部１３０Ａが追加される。また、図７に示す例と同様に、画像処理装置１００Ａから無線電波が届く範囲内に、画像処理装置１００Ｂが設置されている。
【００９６】
画像処理装置１００Ａは既に運用中のため、図８−１（ａ）に示すように、アクセスポイント１２０Ａ、機能部１３１Ａには、運用モードの認証情報が設定されている。一方、画像処理装置１００Ｂのアクセスポイント１２０Ｂ、機能部１３０Ｂには、設置モードの認証情報が設定されているものとする。
【００９７】
そして、図８−１（ｂ）に示すように、画像処理装置１００Ａに機能部１３０Ａが新たに設置され（ステップ２０１）、画像処理装置１００Ａが電源ＯＮの操作を受け付ける（ステップ２０２）。電源ＯＮの操作が行われると、電源制御部１１１は、アクセスポイント１２０Ａに電源を供給し、モード切替部１１４は、アクセスポイント１２０Ａに設定されている運用モードの認証情報を設置モードの認証情報に変更する（ステップ２０３）。次に、電源制御部１１１は、機能部１３０Ａに電源を供給する（ステップ２０４）。機能部１３０に電源が供給されることにより、アクセスポイント１２０Ａと機能部１３０Ａとの間で無線接続が確立される（ステップ２０５でＹＥＳ）。
【００９８】
ここで、アクセスポイント１２０Ａが設置モードに変更されたため、アクセスポイント１２０Ａは、機能部１３０Ａの他に、機能部１３０Ｂとの間で無線接続を確立する可能性がある。この例では、図８−１（ｂ）に示すように、アクセスポイント１２０Ａは、機能部１３０Ａ及び機能部１３０Ｂとの間で無線接続を確立する。
【００９９】
次に、電源制御部１１１は、機能部１３０Ａへの電源供給を停止する（ステップ２０６）。機能部１３０Ａへの電源供給が停止されることにより、図８−１（ｃ）に示すように、アクセスポイント１２０Ａと機能部１３０Ａとの間の無線接続は切断される。一方、アクセスポイント１２０Ａと機能部１３０Ｂとの間の無線接続は確立されたままである。ここで、無線接続判定部１１２は、アクセスポイント１２０Ａに対して、自装置内の機能部１３０Ａではない他の機能部（この例では、機能部１３０Ｂ）が無線接続されている（誤接続されている）と判断する（ステップ２０７でＹＥＳ）。次に、機能部情報取得部１１３は、誤接続されている機能部１３０Ｂの情報を取得する（ステップ２０８）。
【０１００】
次に、電源制御部１１１は、機能部１３０Ａへ電源を供給する（ステップ２０９）。機能部１３０Ａに電源が供給されることにより、図８−２（ｄ）に示すように、アクセスポイント１２０Ａと機能部１３０Ａとの間で、再度、無線接続が確立される。アクセスポイント１２０Ａと機能部１３０Ａとの間の無線接続の確立処理が終了したと無線接続判定部１１２に判定されると（ステップ２１０でＹＥＳ）、機能部情報取得部１１３は、機能部１３０Ａの情報を取得する（ステップ２１１）。
【０１０１】
次に、モード切替部１１４は、図８−２（ｅ）に示すように、アクセスポイント１２０Ａ及び機能部１３０Ａの無線接続モードを、設置モードから運用モードに切り替える（ステップ２１２）。ここで、モード切替部１１４は、機能部情報取得部１１３が取得した機能部１３０Ｂの情報及び機能部１３０Ａの情報により、誤接続されている機能部１３０Ｂ、自装置内の機能部１３０Ａを判別する。そして、モード切替部１１４は、自装置内の機能部１３０Ａに対して運用モードの認証情報を設定する。一方、モード切替部１１４は、機能部１３０Ｂについては設置モードのままにする。また、アクセスポイント１２０Ａ及び機能部１３０Ａが再起動され（ステップ２１３）、認証情報の変更が反映される。さらに、機能部１３１Ａにも電源が供給される。
【０１０２】
モード切替部１１４がアクセスポイント１２０Ａ及び機能部１３０Ａを運用モードに切り替えることで、アクセスポイント１２０Ａ、機能部１３０Ａには運用モードの認証情報が設定される。また、機能部１３１Ａには、既に運用モードの認証情報が設定されている。そのため、アクセスポイント１２０Ａと機能部１３０Ａ及び機能部１３１Ａとの間で無線接続が確立される。一方、機能部１３０Ｂに設定されている認証情報は設置モードの認証情報であり、アクセスポイント１２０Ａに設定されている認証情報とは異なるため、アクセスポイント１２０Ａと機能部１３０Ｂとの間の無線接続は切断される。
【０１０３】
このように、機能部１３０の追加設置時に、アクセスポイント１２０Ａと機能部１３０Ｂとの間で誤接続がなされたとしても、アクセスポイント１２０Ａに運用モードの認証情報を設定することにより、アクセスポイント１２０Ａと機能部１３０Ｂとの間の誤接続が切断され、再接続されないようになる。
【０１０４】
以上説明したように、本実施の形態に係る画像処理装置１００は、アクセスポイント１２０に誤接続されている他の機能部が存在するか否かを確認するために、アクセスポイント１２０に接続されている自装置内の機能部１３０の電源をＯＦＦする。アクセスポイント１２０に接続されている自装置内の機能部１３０の電源をＯＦＦしても、アクセスポイント１２０に引き続き接続されている機能部が存在する場合には、無線接続判定部１１２は、アクセスポイント１２０に誤接続されている他の機能部が存在すると判断する。
【０１０５】
また、モード切替部１１４は、アクセスポイント１２０の無線接続モードを、設置モードから運用モードに切り替える。アクセスポイント１２０に対して誤接続されている他の機能部が存在する場合であっても、アクセスポイント１２０の無線接続モードを運用モードに切り替えることにより、アクセスポイント１２０と他の機能部との間の無線接続が切断され、再接続されないようになる。また、アクセスポイント１２０は、運用モードで動作している自装置内の機能部１３０との間で無線接続を確立する。
【０１０６】
また、本実施の形態に係る画像処理装置１００では、設置モードの認証情報及び運用モードの認証情報を予め設定したり、画像処理装置１００が認証情報を生成したりする。そのため、操作者が認証情報を設定したり変更したりしなくても、アクセスポイント１２０と機能部１３０との間で無線接続が行われることとなる。
【０１０７】
また、上述した例では、画像処理装置１００のアクセスポイント１２０に誤接続される他の機能部は、他の画像処理装置１００に搭載された機能部１３０であることとしたが、このような構成に限られない。例えば、画像処理装置１００の自装置内で、アクセスポイント１２０に接続される機能部１３０と、アクセスポイント１２０に接続しない機能部１３０とを定めてもよい。この場合には、アクセスポイント１２０に接続しないと定められた機能部１３０が他の機能部として扱われ、この機能部１３０がアクセスポイント１２０に接続された場合に誤接続と判断される。付言すると、アクセスポイント１２０に接続される機能部１３０は、制御部１１０（又は機能制御部１１５）の制御対象であり、アクセスポイント１２０に接続しない機能部１３０は、制御部１１０（又は機能制御部１１５）の制御対象外として捉えることができる。
【０１０８】
さらに、上述した例では、機能部１３０が画像処理装置１００の内部に設けられることとしたが、このような構成に限られない。機能部１３０は、画像処理装置１００から電源制御可能な構成であればよく、例えば、機能部１３０がケーブル等を介して画像処理装置１００に外付けされる構成のように、画像処理装置１００の外部に設けられてもよい。
【０１０９】
また、上述した例では、画像処理装置１００は、画像処理装置１００の初期設置時や機能部１３０の追加設置時に、誤接続の有無を確認したり、誤接続の切断を行ったりしたが、このような構成に限られない。本実施の形態では、画像処理装置１００が、予め定められたタイミングで、自装置内の機能部１３０の電源をＯＦＦすることにより、アクセスポイント１２０に誤接続されている他の機能部の有無を確認する構成であってもよい。
【０１１０】
この予め定められたタイミングとしては、画像処理装置１００の初期設置時や機能部１３０の追加設置時の他に、例えば、定期的なタイミングや、ユーザによる特定の操作が行われたタイミングなどが挙げられる。即ち、画像処理装置１００は、例えば、定期的に自装置内の機能部１３０の電源をＯＦＦしたり、ユーザによる特定の操作がされた場合に自装置内の機能部１３０の電源をＯＦＦしたりして、誤接続の有無を確認してもよい。
【０１１１】
また、上述した例では、画像処理装置１００は、設置モード及び運用モードという２種類のモードを有し、画像処理装置１００の初期設置時や機能部１３０の追加設置時に用いる認証情報と運用中の認証情報とを分けることとしたが、このような構成に限られない。本実施の形態において、画像処理装置１００は、設置モードや運用モードなどのモードによらず、２種類以上の認証情報を有し、アクセスポイント１２０と他の機能部との間の誤接続が存在する場合に、アクセスポイント１２０に設定されている一の認証情報を他の認証情報に変更して誤接続を切断する構成であってもよい。さらに、アクセスポイント１２０の認証情報を変更して誤接続を切断する手法は、誤接続を切断する手法の一例であって、画像処理装置１００は、機能部１３０の電源をＯＦＦして誤接続を確認した場合に、他の手法により誤接続を切断してもよい。
【０１１２】
なお、本実施の形態に係る画像処理装置１００による処理は、例えば、ＰＣ等の汎用のコンピュータにおいて実現してもよい。この場合、このコンピュータには、アクセスポイント１２０が搭載される。そして、このコンピュータのＣＰＵが図３に示す各機能部を実現するためのプログラムを実行することにより、電源制御部１１１、無線接続判定部１１２、機能部情報取得部１１３、モード切替部１１４、機能制御部１１５等の各機能部が実現される。このコンピュータは、情報処理装置の一例として捉えることができる。
【０１１３】
また、本発明の実施の形態を実現するプログラムは、通信手段により提供することはもちろん、ＣＤ−ＲＯＭ等の記録媒体に格納して提供することも可能である。
【０１１４】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【０１１５】
１００…画像処理装置、１１０…制御部、１１１…電源制御部、１１２…無線接続判定部、１１３…機能部情報取得部、１１４…モード切替部、１１５…機能制御部、１２０…アクセスポイント、１３０…機能部
【図１】
2019024171.tif 000003
【図２】
2019024171.tif 000004
【図３】
2019024171.tif 000005
【図４】
2019024171.tif 000006
【図５】
2019024171.tif 000007
【図６】
2019024171.tif 000008
【図７】
2019024171.tif 000009
【図８−１】
2019024171.tif 000010
【図８−２】
2019024171.tif 000011